(57)【要約】【課題】本発明は、表面光学構成を有する透過基板と、それと結合する光記録媒体を含む光学効果片を提供している。【解決手段】そのうち、光学効果片の表面光学構成は、明るさ増大の視覚効果または覗き見防止の視覚効果のための、例えば計算機ホログラム光学構成、或いはマイクロレンズアレイが用いられるか、立体視覚効果を達せするための、例えば回折格子構成が用いられる。該光学効果片或いは光記録媒体は図柄形成層を含むことができ、図柄の形成を提供しており、該表面光学構成によってこれに対応する視覚効果を呈する。また、該光学効果片或いは光記録媒体は、粘着層を有することができる。該粘着層によって、光学効果片は光記録媒体に張付けることができる。【選択図】図４
2013251037.tif 000002
【特許請求の範囲】
【請求項１】
光記録媒体に結合するために用いられ、
透過基板と、
該透過基板の一方に形成する表面光学構成と、を含むことを特徴とする光学効果片。
【請求項２】
該光記録媒体に張付けるように結合することを該光学効果片に提供するための粘着層をさらに含むことを特徴とする請求項１に記載の光学効果片。
【請求項３】
該粘着層は、該表面光学構成に相対する該透過基板の他方に位置していることを特徴とする請求項２に記載の光学効果片。
【請求項４】
該表面光学構成は、明るさ増大の効果または覗き見防止の効果を達成するために計算機ホログラム光学構成、或いはマイクロレンズアレイが用いられることを特徴とする請求項１に記載の光学効果片。
【請求項５】
該表面光学構成は、立体視覚効果を達成するために回折格子構成が用いられることを特徴とする請求項１に記載の光学効果片。
【請求項６】
請求項５で開示されているような光学効果片を結合するために用いられ、
基板と、
該基板の一方に形成する光記録層と、
図柄形成層と、を含む光記録媒体であって、
該図柄形成層は図柄の形成を提供しており、該図柄は該光学効果片によって立体視覚効果を呈することができることを特徴とする光記録媒体。
【請求項７】
該図柄形成層は、該光記録層に相対する該基板の他方に設置されていることを特徴とする請求項６に記載の光記録媒体。
【請求項８】
該図柄形成層と該基板との間に形成するホワイト下塗り層をさらに含むことを特徴とする請求項６に記載の光記録媒体。
【請求項９】
該光記録媒体はディスクであることを特徴とする請求項６に記載の光記録媒体。
【請求項１０】
透過基板と、
該透過基板の一方に形成する表面光学構成と、
該表面光学構成に相対する該透過基板の他方に形成する図柄形成層と、を含む光学効果片であって、
該図柄形成層は図柄の形成を提供しており、該図柄は該表面光学構成に対応した視覚効果を呈することができることを特徴とする光学効果片。
【請求項１１】
該表面光学構成は、明るさ増大の視覚効果または覗き見防止の視覚効果を達成するために計算機ホログラム光学構成、或いはマイクロレンズアレイが用いられることを特徴とする請求項１０に記載の光学効果片。
【請求項１２】
該表面光学構成は、該図柄を立体視覚効果に呈するために回折格子構成が用いられることを特徴とする請求項１０に記載の光学効果片。
【請求項１３】
該回折格子構成の方向を表すための方向標識をさらに含むことを特徴とする請求項１２に記載の光学効果片。
【請求項１４】
請求項１１〜１３のうちのどれかに開示されているような光学効果片を結合するために用いられ、
基板と、
該基板の一方に形成する光記録層と、
粘着層と、を含む光記録媒体であって、
該光学効果片は該粘着層によって該光記録媒体に付着することを特徴とする光記録媒体。
【請求項１５】
該粘着層は、該光記録層に相対する該基板の他方に形成していることを特徴とする請求項１４に記載の光記録媒体。
【請求項１６】
該粘着層と該基板との間に形成するホワイト下塗り層をさらに含むことを特徴とする請求項１４に記載の光記録媒体。
【請求項１７】
該光記録媒体はディスクであることを特徴とする請求項１４に記載の光記録媒体。
【発明の詳細な説明】
【技術分野】
【０００１】
本発明は、光学効果片及びそれと結合する光記録媒体、特に立体視覚効果を達成することができる光学効果片及びそれと結合する光記録媒体に関する。
【背景技術】
【０００２】
記録媒体の分野において、光学を利用して読み書きするもの、例えばＣＤ、ＣＤ−Ｒ、ＣＤ−ＲＷ、ＤＶＤ、ＤＶＤ−Ｒ、ＤＶＤ＋Ｒ、ＤＶＤ−ＲＷ、ＤＶＤ＋ＲＷ、ＢＤ、ＢＤ−Ｒ、或いはＢＤ−ＲＥ等のディスク製品は、現在普遍的にデータ保存のために用いられている。ディスク片の主要な構成は、基板の一面にデジタル情報を書込み／読取りを提供するために光記録層を形成しており、該光記録層の上方、或いは基板に相対するもう一面には、図柄が印刷可能な塗層を有しており、当業者またはユーザが該塗層に印刷、或いはプリントアウトすることを提供している。しかし、上述の塗層は、当業者がディスクを製造する際に特定の図柄を設置するか、空白の塗層を提供しユーザのニーズに合わせて手書き、或いは印刷するしかなく、これらの方法では平面的な視覚効果の図柄或いは文字しか形成できず、単調で一般の印刷物と何ら変わりないため、ディスク製品により豊富な視覚効果を有するための立体視覚効果を有したディスク片（特許文献）を発明している。
【先行技術文献】
【特許文献】
【０００３】
【特許文献１】台湾特許第１００１４４３５２号
【発明の概要】
【発明が解決しようとする課題】
【０００４】
しかしながら、上記の発明ではディスク片に特殊な視覚効果を有することはできるが、ユーザ自身で図柄を選択し、印刷することができず、カスタムメイドやＤＩＹ（Ｄｏ  Ｉｔ  Ｙｏｕｒｓｅｌｆ）志向が強い今日において、ユーザ自身が求める図柄をディスク上、しかも立体視覚効果を呈することができれば、ユーザのニーズをさらに満足させることができるはずである。
【課題を解決するための手段】
【０００５】
一般の光記録媒体により多様な視覚効果を呈するため、本発明は表面光学構成を有する透過基板であって、光記録媒体に結合するために用いられる光学効果片を提供しており、ユーザが光学効果片を光記録媒体に張付けることができるように粘着層をさらに含み、該表面光学構成によって、光記録媒体上の図柄が特殊な視覚効果を呈する。そのうち、光学効果片の表面光学構成は、明るさ増大の視覚効果または覗き見防止の視覚効果のための、例えば計算機ホログラム光学構成、或いはマイクロレンズアレイが用いられるか、或いは立体視覚効果を達せするための、例えば回折格子構成が用いられる。また、回折格子構成を有する光学効果片に合せるため、本発明は、主に基板、光記録層及び図柄形成層を含み、光記録層と図柄形成層とはそれぞれ基板の両側に形成する光記録媒体を提供している。ユーザ、或いは当業者は該図柄形成層に図柄を形成することができ、該図柄は該光学効果片の回折格子構成に合せるようにデザインすることで、立体視覚効果を呈している。回折格子構成は方向性を有しているため、図柄の印刷には格子の方向に合せる必要があるため、本発明では、それに対応した構成或いは標識を有する光学効果片と光記録媒体とをさらに開示し、ユーザが図柄の印刷及び張付け過程においてのアライメントに用いられる。
【０００６】
しかし、上記光学効果片と光記録媒体の組合せでは、光記録媒体上に図柄を形成する必要がある。ディスクを例にすると、ディスクに印刷することが可能な工業用スクリーン印刷機が必要なので、ユーザにとっては、やはり便利とはいえないため、本発明は、表面光学構成を有する透過基板と、表面光学構成に相対して透過基板の他方に形成する図柄形成層とを含む光学効果片も提供している。該図柄形成層は図柄の形成を提供しており、該図柄は該表面光学構成によって、それに対応した視覚効果を呈することができる。該図柄形成層は、ディスク上ではなく、光学効果片に位置するため、厚さは通常より薄く且つフレキシブル性を有し、一般のプリンタによってプリントアウトすることが可能となり、使用上さらに容易になる。同様に、光学効果片上の表面光学構成は、明るさ増大の視覚効果または覗き見防止の視覚効果のための、例えば計算機ホログラム光学構成、或いはマイクロレンズアレイが用いられるか、立体視覚効果を達せするための、例えば回折格子構成が用いられる。回折格子構成を有する光学効果片は、プリントアウトする際のアライメントに用いられる該回折格子構成の方向を表示するための方向標識をさらに設けることができる。図柄形成層を有する光学効果片に合せるため、本発明は、基板、光記碌層等の基本構成のほかに、該光記録層の上方或いは該光記録層に相対する基板の他方に粘着層を有する光記録媒体を提供している。該粘着層によって、光学効果片は光記録媒体上に張付けることが可能になる。
【発明の効果】
【０００７】
上述のような光効果片と光記録媒体とを用いることで、ユーザ自身が容易に印刷したい図柄を立体視覚効果を有した状態で印刷することが可能になる。
【図面の簡単な説明】
【０００８】
【図１】本発明の第一実施例の光学効果片の構造を表している模式図である。
【図２】本発明の第二実施例の光学効果片及び光記録媒体の構造を表している模式図である。
【図３】本発明の第三実施例の光学効果片の構造を表している模式図である。
【図４】本発明の第四実施例の光学効果片及び光記録媒体の構造を表している模式図である。
【発明を実施するための形態】
【０００９】
上述した内容に基づいて、本発明の実施例を図面と参照しつつ、以下のとおりに説明する。そのうち、各図面は以下の説明だけに用いられ、実物の完全な構成或いは正確な比率を呈するものではない。また説明を解りやすくするため、一部図面は展開された状態で図示されており、実際の構成では各層と基板の結合の間にその他の層構成を有することもある。
【００１０】
本発明の第一実施例は図１に示されているように、図１（ａ）は光記録媒体２０に結合するために用いられる光学効果片１０である。そのうち、該光学効果片１０は表面光学構成を有する透過基板１０２を含んでおり、本実施例において、該表面光学構成はマイクロレンズアレイ（Ｍｉｃｒｏ−ｌｅｎｓ  ａｒｒａｙ）１０１である。マイクロレンズアレイ１０１は、光線のラジオシティ角度を変化させる機能を有しており、適切にデザインすることで該マイクロレンズアレイを透過する光線を一定の範囲内に限定し、明るさ増大の効果または覗き見防止の効果を達成することができる。光学効果片１０の形状は、光記録媒体２０に合せて異なるデザインにすることができ、ここではディスクの結合に応用したものを例としているため、光学効果片１０は円形で、中央に円形開孔１０３を設けている。ユーザは、該光学効果片１０を粘着剤で、すでに図柄を形成しているディスクに張付けることができ、その図柄は、ディスクが出荷された際にすでに完成している市販のミュージックＣＤ以外の、例えば、ビデオＤＶＤ、ＢＤ、またはユーザ自身が印刷可能層を有するディスクに図柄を印刷したものでも可能である。
【００１１】
上述した本発明の第一実施例はその他の可能な変化を有しており、例えば光学効果片１０の表面光学構成は、コンピュータ計算、例えばフーリエ変換によってニーズに適合した光学効果をデザインした計算機ホログラム（Ｃｏｍｐｕｔｅｒ  ｇｅｎｅｒａｔｅｄ  ｈｏｌｏｇｒａｍ）光学構成であってもよい。次に図１（ｂ）に示されているように、便利に使用するという目的を達成するため、該光学効果片１０は、例えば、表面光学構成に相対する他方に粘着樹脂を塗布するか、または両面テープを使用することが可能な粘着層１０４をさらに含んでいる。また、図１で示されている光学効果片１０は、完全にディスクを被覆しているものの、ディスク表面の一部だけを被覆する、例えば半円形、扇形、或いは半径がデスクより小さい円形であってもよい。
【００１２】
本発明の第二実施例は、図２で、表面に回折格子構成１０５を有する光学効果片１０、及び光学効果片１０に結合するための光記録媒体２０を示している。そのうち、該記録媒体２０は基板２０３、光記録層２０４、及び図柄形成層２０１を有しており、当業者がディスクを製造する際に大量に図柄をディスク上に印刷することを提供したり、ユーザ自身がプリンタで図柄をディスクにプリントアウトすることを提供したりすることをできる。図柄の色彩をより鮮明にするため、通常、図柄形成層２０１と基板２０３との間に、ホワイト下塗り層２０２を形成している。また、異なるタイプの光記録媒体２０に対して、光記録層２０４は基板２０３とホワイト下塗り層２０２との間に位置する可能性もある。本実施例の目的は、光記録媒体２０上にある図柄に立体視覚効果を発生させることであるため、該図柄は回折格子構成１０５に合わせて印刷する必要がある。ユーザ自身で印刷する場合、平面的な図柄に対応して格子化処理を行う機能を有するコンピュータソフト、例えばアドビフォトショップ（Ａｄｏｂｅ  Ｐｈｏｔｏｓｈｏｐ）或いはその他画像編集ソフトを使用することができ、回折格子構成１０５の規格、通常は格子のピッチ（ｐｉｔｃｈ）によって平面的な図柄を立体的な原型図柄に処理し、回折格子構成１０５によって立体視覚効果を発生させる。次に、図柄を印刷可能層を有する一般のディスクに印刷することが可能なプリンタ、例えばエプソン（Ｅｐｓｏｎ）ＰＰ−１００或いはその他ディスク印刷が可能な機器を利用して、立体的な原型図柄を光記録媒体２０上の図柄形成層２０１に形成している。
【００１３】
本発明の第二実施例において、回折格子構成１０５には方向性を有するため、立体的な原型図柄の方向も回折格子構成１０５の方向に合せることで、予期する効果を発生することができる。そのため、本実施例の光記録媒体２０及び回折格子構成１０５を有する光学効果片１０は、これに対応したアライメント構成或いは合せマーク（図示されていない）を結合する際のアライメントに用いるためにそれぞれ含むことが必要がある。該アライメント構成は、例えば凸部分と凹部分で対応した形式、或いは嵌合部分で対応した形式であって、合せマークは、例えばドット、或いは縁欠け口である。また、光記録媒体２０上のアライメント構成或いはマークは、プリントアウトする際の図柄の方向を確認することを提供している。
【００１４】
同様に、上述した第二実施例において、ユーザは粘着剤で光学効果片１０と光記録媒体２０とを結合することができる。便利に使用するという目的を達成するため、該光学効果片１０は、例えば、回折格子構成１０５に相対する他方に粘着樹脂を塗布するか、または両面テープを使用することが可能な粘着層１０４をさらに含んでいる。また、光記録媒体２０をディスクとして例にした場合、上述した光学効果片１０は完全にディスクを被覆しているもの、またはディスク表面の一部だけを被覆しているものであってもよい。
【００１５】
本発明の第三実施例は、図３で示されているように、図３（ａ）は光記録媒体２０に結合するために用いられる光学効果片１０である。そのうち、該光学効果片１０はマイクロレンズアレイ１０１を有する透過基板１０２と、図柄形成層１０６とを含んでおり、例えば、該図柄形成層１０６を透過基板１０２のマイクロレンズアレイ１０１に相対する他方に設置することができる。第一実施例で述べられているように、マイクロレンズアレイ１０１は、明るさ増大の視覚効果または覗き見防止の視覚効果を達せすることができる。該光学効果片１０の形状は、光記録媒体２０に合せて異なるデザインにすることができ、ここではディスクの結合に応用したものを例としているため、光学効果片１０は、中央に円形開孔を設けている。ユーザ或いは当業者は、プリンタ、或いはその他プリントアウト／印刷装置を利用して、該光学効果片１０の図柄形成層１０７に図柄を印刷している。図柄が完成した後、ユーザは粘着剤で該光学効果片１０を光記録媒体２０に張付けることができる。
【００１６】
上述した本発明の第三実施例のうち、該光学効果片１０上の表面光学構成は、コンピュータ計算によってニーズに適合した光学効果をデザインした計算機ホログラム構成であってもよい。一方、便利性を増加させるため、図３（ｂ）に示されているように、本実施例は、該光学効果片１０の結合のための光記録媒体２０をさらに含んでいる。光記録媒体２０はすでにその上方に、例えば、光記録媒体２０の表面に粘着樹脂を塗布するか、または両面テープを張付けることで粘着層２０５を形成している。また、上述した光学効果片１０は、完全にディスクを被覆しているものの、ディスク表面の一部だけを被覆することもでき、この際光記録媒体２０の粘着層２０５の形状も該光学効果片１０に合わせて変化させる必要がある。
【００１７】
本発明の第四実施例は、図４で、表面に回折格子構成１０５を有する光学効果片１０、及び光学効果片１０に結合するための光記録媒体２０を示されている。そのうち、光学効果片１０は図柄形成層１０６を有しており、その位置は、例えば透過基板１０２の該回折格子構成１０５に相対する他方に位置している。該図柄形成層１０６は当業者がディスクを製造する際に大量に図柄をディスク上に印刷することを提供したり、ユーザ自身がプリンタで図柄をディスクにプリントアウトすることを提供したりすることができる。本実施例の目的は、図柄形成層１０６の図柄に立体視覚効果を発生させることであるため、前述の図柄は回折格子構成１０５に合わせてデザインする必要がある。ユーザ自身で印刷する場合、平面的な図柄に対応して格子化処理を行う機能を有するコンピュータソフト、例えばアドビフォトショップ或いはその他画像編集ソフトを使用することができ、回折格子構成１０５の規格、通常は格子のピッチによって平面的な図柄を立体的な原型図柄に処理するため、回折格子構成１０５によって該立体的な原型図柄は立体視覚効果を発生させる。
【００１８】
本発明の第四実施例において、回折格子構成１０５には方向性を有するため、立体的な原型図柄の方向も回折格子構成１０５の方向に合せることで、予期する効果を発生することができる。そのため、本実施例において、回折格子構成１０５を有する光学効果片１０は、方向標識（図示されていない）をさらに含んでおり、プリンタでプリントアウトする際、図柄の方向を確認することができる。該方向標識は、例えば、ドット或いは縁の欠け口であってよい。
【００１９】
同様に、上述した第四実施例において、ユーザは粘着剤で光学効果片１０と光記録媒体２０とを結合することができる。便利に使用するという目的を達成するため、光学効果片１０に結合するための光記録層２０は、例えば、光情報記録層に相対する他方に粘着樹脂を塗布するか、または両面テープを使用して光記録媒体２０上に張付ける粘着層２０５をさらに含んでいる。また、上述した光学効果片１０は、完全に光記録媒体２０を被覆しているものの、光記録媒体２０表面の一部だけを被覆することもできる。
【００２０】
上述した各実施例は、本発明を実施方法で例示したに過ぎず、すべての可能な変化を開示したものではない。出願人が請求する範囲は、後述される特許請求の範囲であって、そのうち、各請求項の文言及びすべての範囲は本特許請求の範囲に該当し、前述した発明の内容或いは図面の内容は、特許請求の範囲を限定するものではない。
【００２１】
１０    光学効果片
１０１  マイクロレンズアレイ
１０２  透過基板
１０３  円形開孔
１０４  粘着層
１０５  回折格子構成
１０６  図柄形成層
２０    光記録媒体
２０１  図柄形成層
２０２  ホワイト下塗り層
２０３  基板
２０４  光記録層
２０５  粘着層
【図１】
2013251037.tif 000003
【図２】
2013251037.tif 000004
【図３】
2013251037.tif 000005
【図４】
2013251037.tif 000006